(57)【要約】【課題】導光棒を強固に固定しつつ、見栄えの悪化を防止する。【解決手段】クリップ４は、エクステンション２の第一貫通孔２２１及び第二貫通孔２２２を平板部４１で閉塞させつつ、第一後側フック部４２１及び第二後側フック部４２２を第一貫通孔２２１及び第二貫通孔２２２に前方から係合させて、エクステンション２と固定されるとともに、左右方向へ並設された第一前側フック部４３１及び第二前側フック部４３２を上方及び下方へ撓ませて、導光棒３の第一開口部３１１の下面及び第二開口部３１２の上面と当接させつつ、第二前側フック部４３２の第二突起部４３２ａを第二開口部３１２に係止させて、第一前側フック部４３１及び第二前側フック部４３２を第一開口部３１１及び第二開口部３１２に後方から係合させることで、導光棒３と固定される。【選択図】図４
2014086334.tif 000002
【特許請求の範囲】
【請求項１】
前後方向と直交する方向に沿って長尺な導光棒と、当該導光棒を保持する保持部材とを、当該導光棒及び当該保持部材にそれぞれ係合する係合部材を介在させて固定する導光棒の固定構造において、
前記導光棒は、それぞれが後方へ開口するととともに当該導光棒の長手方向に沿って並設された２つの開口部を有し、
前記保持部材は、前後方向に沿って形成された孔部を有し、
前記係合部材は、
前記保持部材の前記孔部を閉塞可能な閉塞部と、
前記閉塞部の後面に立設され、前記保持部材の前記孔部に係合可能な後側係合部と、
前記閉塞部の前面に立設され、前記導光棒の前記２つの開口部と対応して前記長手方向に沿って並設されるとともに当該２つの開口部に係合可能な２つの前側係合部と、
を有し、
前記２つの前側係合部は、前後方向及び前記長手方向の何れとも直交する直交方向の互いに異なる側へ突設された係合突起をそれぞれ有し、
前記保持部材の前記孔部を前記係合部材の前記閉塞部によって前方から閉塞させつつ、前記係合部材の前記後側係合部を当該孔部に前方から係合させることで、前記係合部材と前記保持部材とが固定され、
前記係合部材の前記２つの前側係合部を、前記直交方向の互いに異なる側へ撓ませて、前記導光棒の前記２つの開口部内の前記直交方向の互いに異なる側の面と当接させつつ、少なくとも１つの前側係合部の前記係合突起を前記開口部内に係止させて当該２つの前側係合部を当該２つの開口部に後方から係合させることで、前記係合部材と前記導光棒とが固定されることを特徴とする導光棒の固定構造。
【請求項２】
前記２つの前側係合部のうち、
前記直交方向の一方へ突設された係合突起を有する一方の前側係合部は、対応する前記開口部内の前記直交方向の一方側の面に形成された係止孔に前記係合突起を係止させ、
前記直交方向の他方へ突設された係合突起を有する他方の前側係合部は、前記直交方向の一方側に撓んだ状態で、対応する前記開口部内の前記直交方向の他方側の面を前記係合突起で押圧することを特徴とする請求項１に記載の導光棒の固定構造。
【請求項３】
前記一方の前側係合部は、前記他方の前側係合部の前記長手方向の両側に２つ設けられていることを特徴とする請求項２に記載の導光棒の固定構造。
【請求項４】
前記後側係合部は、
前記前側係合部と同じ数だけ設けられるとともに、
前記閉塞部の前後方向での中央であって全ての前記前側係合部の前記長手方向での中央の位置を通って前記直交方向に沿った直線を対称軸として、前記２つの前側係合部と線対称に形成されていることを特徴とする請求項１〜３の何れか一項に記載の導光棒の固定構造。
【発明の詳細な説明】
【技術分野】
【０００１】
本発明は、導光棒の固定構造に関する。
【背景技術】
【０００２】
従来、光源からの光によって発光する長尺な導光棒をその保持部材に固定する構造として、互いの係合部を係合させる係合構造が知られている（例えば、特許文献１参照）。この係合構造では、図５（ａ）に示すように、紙面垂直方向に長尺な導光棒８１の後面に立設されたフック部８１ａが、保持部材８２に形成された係合孔８２ａに係合されることにより、導光棒８１と保持部材８２とが固定されている。
【０００３】
ところが、このような係合構造では、導光棒８１を前方から見たときに、長尺な導光棒８１のうち、光が射し込みにくい係合孔８２ａの前方部分だけが暗く見えてしまい、見栄えが良くないという問題があった。
【０００４】
この問題に対しては、図５（ｂ）に示すように、導光棒９１と保持部材９２との間に別の係合部材９３を介在させて当該導光棒９１及び保持部材９２を固定する構造が提案されている。この構造では、係合部材９３の平板部９３ａの後面に立設された係合突起９３ｂが保持部材９２の係合孔９２ａに係合されることで係合部材９３と保持部材９２とが固定されるとともに、係合部材９３の平板部９３ａの前面に立設された把持部９３ｃが導光棒９１の両側面を把持することで係合部材９３と導光棒９１とが固定されている。
【０００５】
この構造によれば、係合部材９３の平板部９３ａによって保持部材９２の係合孔９２ａを覆うことができるため、導光棒８１を前方から見たときに係合孔８２ａの前方部分だけが暗く見えるようなことがなく、この点では見栄えが悪くなることはなかった。
【先行技術文献】
【特許文献】
【０００６】
【特許文献１】特開２０１２−４８８４５号公報
【発明の概要】
【発明が解決しようとする課題】
【０００７】
しかしながら、上述のような導光棒の固定構造では、導光棒９１が係合部材９３の把持部９３ｃによって単純に両側面を把持されているだけであるため、導光棒９１と係合部材９３との固定がさほど強固でなく、導光棒９１が把持部９３ｃから脱落しやすいという問題があった。
【０００８】
また、この導光棒９１の脱落を防止する目的で把持部９３ｃの把持面積を広げようとすると、把持部９３ｃがより大きく前方へ延出する結果、この把持部９３ｃの前端部がより大きく導光棒９１の前方に露出することとなって、見栄えが悪化してしまう。
【０００９】
本発明は、上記事情を鑑みてなされたもので、導光棒を強固に固定しつつ見栄えの悪化を防止することができる導光棒の固定構造の提供を課題とする。
【課題を解決するための手段】
【００１０】
上記課題を解決するために、請求項１に記載の発明は、
前後方向と直交する方向に沿って長尺な導光棒と、当該導光棒を保持する保持部材とを、当該導光棒及び当該保持部材にそれぞれ係合する係合部材を介在させて固定する導光棒の固定構造において、
前記導光棒は、それぞれが後方へ開口するととともに当該導光棒の長手方向に沿って並設された２つの開口部を有し、
前記保持部材は、前後方向に沿って形成された孔部を有し、
前記係合部材は、
前記保持部材の前記孔部を閉塞可能な閉塞部と、
前記閉塞部の後面に立設され、前記保持部材の前記孔部に係合可能な後側係合部と、
前記閉塞部の前面に立設され、前記導光棒の前記２つの開口部と対応して前記長手方向に沿って並設されるとともに当該２つの開口部に係合可能な２つの前側係合部と、
を有し、
前記２つの前側係合部は、前後方向及び前記長手方向の何れとも直交する直交方向の互いに異なる側へ突設された係合突起をそれぞれ有し、
前記保持部材の前記孔部を前記係合部材の前記閉塞部によって前方から閉塞させつつ、前記係合部材の前記後側係合部を当該孔部に前方から係合させることで、前記係合部材と前記保持部材とが固定され、
前記係合部材の前記２つの前側係合部を、前記直交方向の互いに異なる側へ撓ませて、前記導光棒の前記２つの開口部内の前記直交方向の互いに異なる側の面と当接させつつ、少なくとも１つの前側係合部の前記係合突起を前記開口部内に係止させて当該２つの前側係合部を当該２つの開口部に後方から係合させることで、前記係合部材と前記導光棒とが固定されることを特徴とする。
【００１１】
請求項２に記載の発明は、請求項１に記載の導光棒の固定構造において、
前記２つの前側係合部のうち、
前記直交方向の一方へ突設された係合突起を有する一方の前側係合部は、対応する前記開口部内の前記直交方向の一方側の面に形成された係止孔に前記係合突起を係止させ、
前記直交方向の他方へ突設された係合突起を有する他方の前側係合部は、前記直交方向の一方側に撓んだ状態で、対応する前記開口部内の前記直交方向の他方側の面を前記係合突起で押圧することを特徴とする。
【００１２】
請求項３に記載の発明は、請求項２に記載の導光棒の固定構造において、
前記一方の前側係合部は、前記他方の前側係合部の前記長手方向の両側に２つ設けられていることを特徴とする。
【００１３】
請求項４に記載の発明は、請求項１〜３の何れか一項に記載の導光棒の固定構造において、
前記後側係合部は、
前記前側係合部と同じ数だけ設けられるとともに、
前記閉塞部の前後方向での中央であって全ての前記前側係合部の前記長手方向での中央の位置を通って前記直交方向に沿った直線を対称軸として、前記２つの前側係合部と線対称に形成されていることを特徴とする。
【発明の効果】
【００１４】
本発明によれば、係合部材の後側係合部を保持部材の孔部に前方から係合させて係合部材と保持部材とが固定されるとともに、係合部材の２つの前側係合部を導光棒の２つの開口部に後方から係合させて係合部材と導光棒とが固定されることによって、導光棒と保持部材とが固定される。
このとき、係合部材の２つの前側係合部のうちの少なくとも１つが、導光棒の長手方向及び前後方向の何れとも直交する直交方向へ突設された係合突起を、導光棒の開口部内に係止させているので、係合部材が導光棒の両側面を単純に把持していた従来に比べ、係合部材と導光棒とを強固に固定することができる。
【００１５】
また、保持部材の孔部が係合部材の閉塞部によって前方から閉塞されているので、導光棒を前方から見たときに、当該導光棒のうち孔部の前方部分だけが暗く見えるようなことはない。更に、係合部材の２つの前側係合部が、それぞれ後方へ開口する導光棒の２つの開口部の内面と当接した状態で当該２つの開口部に係合しているので、この２つの前側係合部が導光棒の前方に露出してしまうこともない。したがって、見栄えの悪化を防止することができる。
【００１６】
また、係合部材の２つの前側係合部は、導光棒の長手方向に沿って並設されており、長手方向及び前後方向の何れとも直交する直交方向の互いに異なる側へ撓んで、導光棒の２つの開口部内の上記直交方向の互いに異なる側の面と当接しつつ当該２つの開口部に係合しているので、係合部材のうち導光棒と係合する部分を上記直交方向，つまり導光棒の幅方向にコンパクトに構成することができるとともに、２つの前側係合部を導光棒の幅方向へ互いに突っ張るようにして２つの開口部に係合させることができる。したがって、係合部材を前方に露出しにくくして見栄えの悪化をより確実に防止することができるとともに、より強固に導光棒を固定することができる。
【図面の簡単な説明】
【００１７】
【図１】実施形態における導光棒の固定構造を有する灯具の要部の正面図である。
【図２】図１のII−II線での断面図である。
【図３】図１のIII−III線での断面図である。
【図４】実施形態におけるクリップの斜視図である。
【図５】従来の導光棒の固定構造を説明するための図である。
【発明を実施するための形態】
【００１８】
以下、本発明の実施形態について、図面を参照して説明する。
図１は、本実施形態における導光棒の固定構造を有する灯具１の要部の正面図であり、図２及び図３は、図１のII−II線及びIII−III線での断面図であり、図４は、灯具１が備えるクリップ４の斜視図である。
なお、以下の説明では、「前」「後」「左」「右」「上」「下」との記載は、特に断りのない限り、灯具１から見た方向を意味するものとする。
【００１９】
図１〜図３に示すように、灯具１は、主に当該灯具１を装飾するための装飾板であるエクステンション２を備えている。エクステンション２の前面には、左右方向に沿って延在する収容溝２１が形成されており、この収容溝２１内には、左右方向に沿って長尺な導光棒３が前面を露出させた状態で収容（保持）されている。導光棒３は、図示は省略するが、その長手方向の端面に光源が対向配置されており、この光源から出射した光によって前面が発光するように構成されている。
【００２０】
エクステンション２と導光棒３とは、灯具１の固定部Ｆにおいて、クリップ４を介して互いに固定されている。
以下、固定部Ｆにおける各部材の構成について説明する。
【００２１】
エクステンション２には、収容溝２１の底部に、前後方向に沿った貫通孔２２が左右方向に沿って３つ並設されている。この３つの貫通孔２２，…は、左右中央の第一貫通孔２２１と、左右両側の２つの第二貫通孔２２２，２２２とから構成されている。
このうち、第一貫通孔２２１は、その下壁部２２１ａが他の部分よりも後方へ延出しており、後述するクリップ４の第一後側フック部４２１が当該下壁部２２１ａの上面と当接している。
一方、各第二貫通孔２２２は、第一貫通孔２２１よりも下方へ大きく形成されており、後述するクリップ４の第二後側フック部４２２が当該第二貫通孔２２２内で上下方向へ比較的大きく撓めるようになっている。
なお、これら３つの貫通孔２２，…は、左右方向に互いに連通されていて、明確に３つに別れていなくともよい。
【００２２】
導光棒３には、後方へ開口する３つの開口部３１，…が、エクステンション２の３つの貫通孔２２，…と対応する左右方向の位置で、左右方向に沿って並設されている。この３つの開口部３１，…は、左右中央の第一開口部３１１と、左右両側の２つの第二開口部３１２，３１２とから構成されている。
このうち、第一開口部３１１は、ほぼ後方のみに開口するように形成されて下側内側面３１１ａを有しており、後述するクリップ４の第一前側フック部４３１が当該下側内側面３１１ａと当接している。
一方、各第二開口部３１２は、下壁部が切り欠かれて下方へも開口しており、後述するクリップ４の第二前側フック部４３２が当該第二開口部３１２内で上下方向へ比較的大きく撓めるようになっている。また、各第二開口部３１２は、上壁部を上下方向へ貫通する係止孔３１２ａを有しており、後述するクリップ４の第二突起部４３２ａが当該係止孔３１２ａの後側内側面に係止している。
なお、これら３つの開口部３１，…は、左右方向に互いに連通されていて、明確に３つに別れていなくともよい。
【００２３】
クリップ４は、図２〜図４に示すように、前後方向と直交する平板部４１を有している。この平板部４１は、エクステンション２の収容溝２１の底面に当接したときに３つの貫通孔２２，…を閉塞可能な形状及び大きさであって、且つ、導光棒３と同等かそれ以下の上下方向の幅に形成されている。
【００２４】
平板部４１の後面には、エクステンション２の３つの貫通孔２２，…と対応するように左右方向に沿って等間隔で並設された３つの後側フック部４２，…が後方へ立設されている。この３つの後側フック部４２，…は、何れも上下方向への可撓性を有しており、左右中央の第一後側フック部４２１と、左右両側の２つの第二後側フック部４２２，４２２とから構成されている。
このうち、第一後側フック部４２１は、下方へ突設された第一突起部４２１ａを下面に有している。この第一突起部４２１ａは、第一後側フック部４２１の先端（後端）から前後方向の中程に掛けて、緩やかに前下がりに傾斜しつつ下面が略平坦となるように形成されており、その突起高さはそれほど高くない。
一方、各第二後側フック部４２２は、上方へ突設された第二突起部４２２ａを上面に有している。この第二突起部４２２ａは、第二後側フック部４２２の先端（後端）から前後方向の中程に掛けて、前上がりに傾斜しつつ前面が急峻な面となるように形成されており、その突起高さが第一突起部４２１ａよりも高く形成されている。また、各第二後側フック部４２２は、基端部の上下方向厚さが細く形成されており、基端部から上下方向へ撓みやすくなっている。
【００２５】
これら３つの後側フック部４２，…は、クリップ４がエクステンション２の収容溝２１に前方から挿入されることで、エクステンション２の３つの貫通孔２２，…に前方から係合する。
具体的には、３つの後側フック部４２，…のうち、左右中央の第一後側フック部４２１は、エクステンション２の第一貫通孔２２１に前方から挿通される。このとき、第一後側フック部４２１は、第一貫通孔２２１に挿通されていくに従って、第一突起部４２１ａが下壁部２２１ａの上面と徐々に強く当接することで上方へ撓んでいき、クリップ４がエクステンション２の収容溝２１に挿入されきったとき（平板部４１の後面が収容溝２１の底面と当接したとき）に、第一突起部４２１ａの下面が下壁部２２１ａの上面と当接した状態となる。こうして、第一後側フック部４２１は、上方へ撓んで第一貫通孔２２１の下壁部２２１ａを弾性的に押圧した状態で、当該第一貫通孔２２１に係合する。
【００２６】
一方、３つの後側フック部４２，…のうち、左右両側の２つの第二後側フック部４２２，４２２は、エクステンション２の２つの第二貫通孔２２２，２２２に前方から挿通される。このとき、各第二後側フック部４２２は、対応する第二貫通孔２２２に挿通されていくに従って、第二突起部４２２ａが第二貫通孔２２２の上壁部と徐々に強く当接することで下方へ撓んでいく。そして、クリップ４がエクステンション２の収容溝２１に挿入されきったとき（平板部４１の後面が収容溝２１の底面と当接したとき）に、当該第二後側フック部４２２は、第二突起部４２２ａが第二貫通孔２２２の上壁部よりも後方まで挿通されて、下方への撓みが一定程度解放され、第二突起部４２２ａの前面が第二貫通孔２２２の上壁部の後面に係止された状態となる。こうして、各第二後側フック部４２２は、対応する第二貫通孔２２２の上壁部に第二突起部４２２ａを係止させた状態で、当該第二貫通孔２２２に係合する。
このように、クリップ４の３つの後側フック部４２，…がエクステンション２の３つの貫通孔２２，…に係合することで、クリップ４とエクステンション２とが固定される。またこのとき、クリップ４の平板部４１は、エクステンション２の３つの貫通孔２２，…を前方から閉塞している。
【００２７】
平板部４１の前面には、導光棒３の３つの開口部３１，…と対応するように左右方向に沿って等間隔で並設された３つの前側フック部４３，…が前方へ立設されている。この３つの前側フック部４３，…は、平板部４１を対称面として３つの後側フック部４２，…と面対称に形成されており、より詳細には、平板部４１の前後方向での中央であって３つの後側フック部４２，…の左右方向での中央の位置を通って上下方向に沿った直線を対称軸として、３つの後側フック部４２，…と線対称に形成されている。
【００２８】
具体的には、３つの前側フック部４３，…は、何れも上下方向への可撓性を有しており、左右中央の第一前側フック部４３１と、左右両側の２つの第二前側フック部４３２，４３２とから構成されている。
このうち、第一前側フック部４３１は、下方へ突設された第一突起部４３１ａを下面に有している。この第一突起部４３１ａは、第一前側フック部４３１の先端（前端）から前後方向の中程に掛けて、緩やかに後ろ下がりに傾斜しつつ下面が略平坦となるように形成されており、その突起高さはそれほど高くない。
一方、各第二前側フック部４３２は、上方へ突設された第二突起部４３２ａを上面に有している。この第二突起部４３２ａは、第二前側フック部４３２の先端（前端）から前後方向の中程に掛けて、後ろ上がりに傾斜しつつ後面が急峻な面となるように形成されており、その突起高さが第一突起部４３１ａよりも高く形成されている。また、各第二前側フック部４３２は、基端部の上下方向厚さが細く形成されており、基端部から上下方向へ撓みやすくなっている。
【００２９】
これら３つの前側フック部４３，…は、導光棒３の３つの開口部３１，…に後方から係合する。
具体的には、３つの前側フック部４３，…のうち、左右中央の第一前側フック部４３１は、導光棒３の第一開口部３１１に後方から挿入される。このとき、第一前側フック部４３１は、第一開口部３１１に挿入されていくに従って、第一突起部４３１ａが下側内側面３１１ａと徐々に強く当接することで上方へ撓んでいき、クリップ４の平板部４１の前面が導光棒３の後面と当接したときに、第一突起部４３１ａの下面が下側内側面３１１ａと当接した状態となる。こうして、第一前側フック部４３１は、上方へ撓んで第一開口部３１１の下側内側面３１１ａを弾性的に押圧した状態で、当該第一開口部３１１に係合する。
【００３０】
一方、３つの前側フック部４３，…のうち、左右両側の２つの第二前側フック部４３２，４３２は、導光棒３の２つの第二開口部３１２，３１２に後方から挿入される。このとき、各第二前側フック部４３２は、対応する第二開口部３１２に挿入されていくに従って、第二突起部４３２ａが第二開口部３１２の上壁部と徐々に強く当接することで下方へ撓んでいく。そして、クリップ４の平板部４１の前面が導光棒３の後面と当接したときに、当該第二前側フック部４３２は、第二突起部４３２ａが第二開口部３１２の係止孔３１２ａに嵌って、第二突起部４３２ａの後面が係止孔３１２ａの後側内側面に係止された状態となる。こうして、各第二前側フック部４３２は、対応する第二開口部３１２の係止孔３１２ａに第二突起部４３２ａを係止させた状態で、当該第二開口部３１２に係合する。
このように、クリップ４の３つの前側フック部４３，…が導光棒３の３つの開口部３１，…に係合することで、クリップ４と導光棒３とが固定される。
【００３１】
以上のように、本実施形態の導光棒３の固定構造によれば、クリップ４の２つの第二前側フック部４３２，４３２が、上下方向へ突設された第二突起部４３２ａを導光棒３の第二開口部３１２内にそれぞれ係止させているので、係合部材が導光棒の両側面を単純に把持していた従来に比べ、クリップ４と導光棒３とを強固に固定することができる。
【００３２】
また、エクステンション２の３つの貫通孔２２，…がクリップ４の平板部４１によって前方から閉塞されているので、導光棒３を前方から見たときに、当該導光棒３のうち貫通孔２２，…の前方部分だけが暗く見えるようなことはない。更に、クリップ４の３つの前側フック部４３，…が、それぞれ後方へ開口する導光棒３の３つの開口部３１，…の内面と当接した状態で当該３つの開口部３１，…に係合しているので、この３つの前側フック部４３，…が導光棒３の前方に露出してしまうこともない。したがって、見栄えの悪化を防止することができる。
【００３３】
また、クリップ４の第一前側フック部４３１と第二前側フック部４３２とは、導光棒３の長手方向（左右方向）に沿って並設されており、上下方向の互いに異なる側（上側と下側）へ撓んで、導光棒３の第一開口部３１１の下面と第二開口部３１２の上面とに当接しつつ、当該第一開口部３１１と第二開口部３１２とに係合しているので、クリップ４のうち導光棒３と係合する部分を上下方向，つまり導光棒３の幅方向にコンパクトに構成することができるとともに、第一前側フック部４３１と第二前側フック部４３２とを導光棒３の幅方向へ互いに突っ張るようにして第一開口部３１１と第二開口部３１２とに係合させることができる。したがって、クリップ４を前方に露出しにくくして見栄えの悪化をより確実に防止することができるとともに、より強固に導光棒３を固定することができる。
【００３４】
また、３つの前側フック部４３，…と３つの後側フック部４２，…とが、平板部４１の前後方向での中央であって３つの後側フック部４２，…の左右方向での中央の位置を通って上下方向に沿った直線を対称軸として、互いに線対称に形成されているので、クリップ４が上下方向に沿った軸回りに前後反転された状態でも、当該クリップ４の３つの前側フック部４３，…をエクステンション２の３つの貫通孔２２，…に係合させ、３つの後側フック部４２，…を導光棒３の３つの開口部３１，…に係合させることができる。したがって、組立作業者は、クリップ４の前後方向の向きを気に掛けることなく、当該クリップ４とエクステンション２及び導光棒３との固定作業をより容易に行うことができる。
【００３５】
なお、本発明を適用可能な実施形態は、上述した実施形態に限定されることなく、本発明の趣旨を逸脱しない範囲で適宜変更可能である。
【００３６】
例えば、上記実施形態では、本発明に係る導光棒の固定構造を灯具に適用した例について説明したが、本発明は、長尺な導光棒とその保持部材とを、これらにそれぞれ係合する係合部材を介在させて固定するものであれば、灯具に限定されず、広く適用可能である。
【００３７】
また、導光棒３は左右方向に沿って長尺なものとしたが、この導光棒３の長手方向は、当該長手方向に沿った発光面を前面とし、その反対側の面を後面として、導光棒３から見た前後方向を定めたときに、この前後方向と直交する方向であれば特に限定されない。但し、この導光棒３の長手方向に応じて、導光棒３の３つの開口部３１，…やクリップ４の３つの前側フック部４３，…を当該長手方向に沿って並設させるほか、クリップ４の３つの前側フック部４３の各突起部４３１ａ，４３２ａを前後方向及び前記長手方向の何れとも直交する直交方向へ突設させるなど、適宜変更が必要であることは勿論である。
【００３８】
また、クリップ４の第一前側フック部４３１と第二前側フック部４３２とは、それぞれ少なくとも１つ設けられていれば、その数量は特に限定されない。また、第一前側フック部４３１は、第二前側フック部４３２と同様に、導光棒３の第一開口部３１１内の下面に設けた係止孔に第一突起部４３１ａを係止させるように構成されていてもよい。
【符号の説明】
【００３９】
１          灯具
２          エクステンション（保持部材）
２１      収容溝
２２      貫通孔（孔部）
２２１  第一貫通孔
２２１ａ  下壁部
２２２  第二貫通孔
３          導光棒
３１      開口部
３１１  第一開口部
３１１ａ  下側内側面
３１２  第二開口部
３１２ａ  係止孔
４          クリップ（係合部材）
４１      平板部（閉塞部）
４２      後側フック部（後側係合部）
４２１  第一後側フック部
４２１ａ  第一突起部
４２２  第二後側フック部
４２２ａ  第二突起部
４３      前側フック部（前側係合部）
４３１  第一前側フック部
４３１ａ  第一突起部（係合突起）
４３２  第二前側フック部
４３２ａ  第二突起部（係合突起）
Ｆ          固定部
【図１】
2014086334.tif 000003
【図２】
2014086334.tif 000004
【図３】
2014086334.tif 000005
【図４】
2014086334.tif 000006
【図５】
2014086334.tif 000007